(57)【要約】【課題】昇降路内での温度異常に基づき換気装置の故障を報知して、昇降路内の機器への悪影響を与える温度上昇を回避できるようにしたエレベータ装置を提供する。【解決手段】乗りかご２と、乗りかごを昇降させる駆動装置５と、乗りかごを昇降運転させるために駆動装置を駆動制御する制御装置６と、が昇降路１内に設けられると共に昇降路内の温度を下げるために昇降路内の換気を行う換気装置７を設けたエレベータ装置であって、昇降路内の温度を検出する温度検出器８と、報知装置９を備え、制御装置が、温度検出器の検出温度が換気装置の故障による温度上昇を考慮した所定の基準値を超えた時に報知装置に換気装置故障による温度異常の報知を行わせるようにした。【選択図】図１
2007197114.tif 000002
【特許請求の範囲】
【請求項１】
乗りかごと、前記乗りかごを昇降させる駆動装置と、前記乗りかごを昇降運転させるために前記駆動装置を駆動制御する制御装置と、が昇降路内に設けられると共に昇降路内の温度を下げるために昇降路内の換気を行う換気装置を設けたエレベータ装置であって、昇降路内の温度を検出する温度検出器と、報知装置を備え、前記制御装置が、前記温度検出器の検出温度が前記換気装置の故障による温度上昇を考慮した所定の基準値を超えた時に前記報知装置に換気装置故障による温度異常の報知を行わせることを特徴とするエレベータ装置。
【請求項２】
制御装置が、温度検出器の検出温度が基準値を超えた時に、所定時間の間、乗りかごの運転を可能とし、前記所定時間の間に前記温度検出器の検出温度が基準値以下にならない場合に、乗りかごを避難階に戻して運転休止させることを特徴とする請求項１に記載のエレベータ装置。
【請求項３】
機械室レスタイプのエレベータであって、駆動装置、制御装置及び換気装置が昇降路の上部に設けられ、温度検出器を昇降路の上部に設けたことを特徴とする請求項１又は２に記載のエレベータ装置。
【請求項４】
制御装置が回生制動のための回生抵抗を有し、温度検出器を前記制御装置の近くに設けたことを特徴とする請求項１ないし３のいずれか１項に記載のエレベータ装置。
【請求項５】
駆動装置と制御装置と換気装置の位置関係が、前記駆動装置が前記制御装置と前記換気装置との間にありかつ前記駆動装置の巻上機の綱車主面が前記制御装置と前記換気装置を結ぶ方向に沿って延びるように配置されていることを特徴とする請求項１ないし４のいずれか１項に記載のエレベータ装置。
【発明の詳細な説明】
【技術分野】
【０００１】
この発明は、機械室レスタイプのエレベータによく見られる昇降路内に駆動装置及び制御装置を設置したエレベータ装置に関する。
【背景技術】
【０００２】
この種の機械室レスタイプのエレベータでは、巻上機からなる駆動装置と、この駆動装置を制御するインバータ装置や回生制動用の回生抵抗を含む制御装置とが、昇降路内の上部に設けられている。これらの駆動装置や制御装置は発熱するため、昇降路の上部は特に熱が滞留し易くなる。温度が高くなると機器の寿命を短くする要因となるため、溜まった暖かい空気を排出するために昇降路上部に換気装置を設置する必要がある(例えば特許文献１参照、特に段落番号０００２，０００３，図４)。
【０００３】
【特許文献１】特開２００１−７２３５３号公報
【発明の開示】
【発明が解決しようとする課題】
【０００４】
上記のような従来の機械室レスタイプのエレベータ装置では、換気装置が故障すると、昇降路上部に溜まった暖かい空気が換気装置によって排出されず、温度が著しく上昇することになる。これは機器の寿命を短くしたり、制御装置の動作異常等、エレベータ故障を発生させる恐れがあった。
【０００５】
さらに、制御装置では、交流電源の交流を整流器で整流して直流にしてコンデンサに蓄え、エレベータが起動する時にコンデンサから供給される直流電力を可変電圧可変周波数のインバータ制御を行うインバータ装置で交流電力に変換して、これにより駆動装置の電動機からなる巻上機を駆動する。そして運転が連続すると、インバータ装置の半導体パワー素子を構成するＩＧＢＴ(Insulated Gate Bipolar Transistor)素子での発熱が徐々に蓄積されていき、ＩＧＢＴ放熱面温度が上昇していく。そして更に運転条件、周囲温度等の影響により温度が上昇し、インバータ装置の半導体パワー素子の冷却器に取り付けられている温度検出用サーモスタットの設定温度に達すると、サーモスタットより検出信号が出力され、エレベータを停止させたり、最寄階着床させたりしてエレベータの運転を一旦停止させる。このサーモスタットの設定温度はＩＧＢＴ保証可能最大温度以下になるとうに設定されている。
【０００６】
このようにサーモスタットが動作してエレベータを停止させた場合、機器の点検整備等、多くの作業が発生するため、復帰に相当の時間及び労力を要することになる。
【０００７】
この発明は上記の課題を解消するためになされたものであり、換気装置の故障により昇降路内の温度が所定の基準値を超えた場合に、アナウンス又は警報音で換気装置の故障を報知して、昇降路内が機器に悪影響を及ぼす温度になるのを回避できるようにしたエレベータ装置を提供することを目的とする。
【課題を解決するための手段】
【０００８】
この発明は、乗りかごと、前記乗りかごを昇降させる駆動装置と、前記乗りかごを昇降運転させるために前記駆動装置を駆動制御する制御装置と、が昇降路内に設けられると共に昇降路内の温度を下げるために昇降路内の換気を行う換気装置を設けたエレベータ装置であって、昇降路内の温度を検出する温度検出器と、報知装置を備え、前記制御装置が、前記温度検出器の検出温度が前記換気装置の故障による温度上昇を考慮した所定の基準値を超えた時に前記報知装置に換気装置故障による温度異常の報知を行わせることを特徴とするエレベータ装置にある。
【発明の効果】
【０００９】
この発明では、昇降路内での温度異常から換気装置の故障を検出して、昇降路内が機器に悪影響を及ぼす温度になる前に換気装置の故障を報知することで、これを回避できる。
【発明を実施するための最良の形態】
【００１０】
実施の形態１．
図１はこの発明の一実施の形態によるエレベータ装置の構成図である。昇降路１内では、乗りかご２と釣合おもり３がロープ４により綱車を含む巻上機等からなる駆動装置５につるべ式に掛けられている。そして制御装置６が駆動装置５を駆動制御することにより、乗りかご２が昇降路１内で昇降運転される。制御装置６は少なくとも駆動装置５、温度検出器８、報知装置９のそれぞれとの間で信号伝送可能に接続されている。
【００１１】
制御装置６は、上述した交流電源の交流を直流にする整流器、直流を蓄えるコンデンサ、エレベータが起動する時にコンデンサからの直流のエネルギーをインバータ制御して交流にして駆動装置５の巻上機(電動機)に供給するインバータ装置、また、回生制動用の回生抵抗、さらにプログラムに従って乗りかご２の昇降運転制御を行うコンピュータ及びメモリからなる運転制御部等を含む(共に図示省略)。インバータ装置及び回生抵抗が発熱機器である。さらに上述したインバータ装置の例えば半導体パワー素子の冷却器に取り付けられている半導体パワー素子が高温になった時にエレベータの運転を一旦停止させるための温度検出用サーモスタットを含むものであってもよい。
【００１２】
換気装置７は換気扇等からなり、昇降路１の上部の壁に設置されて、上部領域ＵＡに溜まった暖かい空気を昇降路１の外部に排出する。温度検出器８は昇降路１内の上部に設置され、昇降路１内の温度を検出する。報知装置９は温度検出器８からの検出温度が予め定められた基準値を超えた場合に、例えば乗りかご２内に警報音又はアナウンスで換気装置故障による温度異常を報知するための装置である。
【００１３】
温度検出器８に関し、機械室レスエレベータでは発熱を伴う駆動装置５や制御装置６が昇降路１内に設置されているため、機器の放熱が昇降路１上部に滞留しや易く、高温状態が長時間継続した場合に機器への影響が心配される。特に図１に示すように、昇降路１上部に主要機器が設置されている場合は、昇降路１下部に設置される場合より熱か滞留し易い。この熱を昇降路１外部に逃がして温度を下げるために、昇降路１上部に換気装置７を設ける必要がある。
【００１４】
換気装置７が正常に動作していれば、昇降路１内上部の温度は例えば４０℃以下に維持することができるが、換気装置７が故障した場合はその限りではない。従って、換気装置７の故障を検出するために昇降路１上部内の温度異常を検出する温度検出器８を設置する。
【００１５】
温度検出器８の取付け位置については、図１に示すように制御装置６の近くが最も適している。主に低速エレベータでコンバータ(整流器)に三相ダイオード全波整流回路を用いたものは、重負荷で一定速度下降走行する時、巻上機を含む駆動装置５に回生制動を行わせ、その際の駆動装置５からの回生エネルギーを消費するために、制御装置６は回生抵抗を備えている。この回生抵抗からの放熱が最も多いので、この付近に温度検出器８を設置する。但し、温度検出器８が回生抵抗からの熱の影響を直接受けないような位置とする。
【００１６】
また、換気装置７は回生抵抗付近に配置すれば、冷却する上で最大限の効果が得られるが、狭い昇降路１内に複数の機器を配置する上で、場合によっては建物の構造上の制約から換気装置７の換気扇窓の位置が限定されてしまうこともある。この実施の形態では、駆動装置５と制御装置６と換気装置７の位置関係において、駆動装置５が制御装置６と換気装置７との間にありかつ駆動装置５の巻上機の綱車主面５ａが制御装置６と換気装置７を結ぶ方向に沿って延びるように配置されている。すなわち駆動装置５の巻上機の綱車主面５ａが制御装置６と換気装置７との間の昇降路上部の空気の流れを止めないような位置関係にすることにより、空気の流れが良好となり、冷却効果が向上する。
【００１７】
図２に制御装置６での制御動作を示すフローチャートを示し、以下動作について説明する。昇降路１内の温度が上昇し、温度検出器８の検出温度が予め設定された基準値を超えたかどうかを判定し(ステップＳ１１)、基準値を超えた場合は、報知装置９に昇降路１の換気装置７が故障したことが判る温度異常のアナウンス又は警報音を発生(警報音鳴動)させる(ステップＳ１２)。なお、温度検出器８のために設定された上記基準値とは、換気装置７の異常、故障による昇降路１内の温度上昇を考慮した値、すなわち換気装置７の故障を検出するための昇降路１内の温度値であり、かつ昇降路１内の各機器に悪影響を及ぼす温度以下の値である。この基準値は、各エレベータや昇降路内での装置の配置により異なるため、例えばエレベータ毎又エレベータの機種毎に予め実験等を行って求めておく。
【００１８】
そしてその後、温度検出器８の検出温度が基準値以下に戻り正常復帰すれば(ステップＳ１３)、報知装置９によるアナウンス又は警報音の発生(警報音鳴動)を中止させる(ステップＳ１４)。
【００１９】
このように、換気装置７が故障して、昇降路１上部内の温度が上昇し、温度検出器８の検出温度が基準値を超えると、故障したことを報知するアナウンス又は警報音を発する。これにより例えば、エレベータ運行管理者は、保守会社に連絡をして換気装置７の点検修理を依頼する。そうすることで、制御装置６の回路や駆動装置５が劣化し、運行停止に至るのを未然に防止できる。
【００２０】
実施の形態２．
図３にこの発明の実施の形態２におけるエレベータ装置の制御装置６での制御動作を示すフローチャートを示し、以下動作について説明する。なおエレベータ装置の全体の構成は基本的に実施の形態１の場合と同じである。
【００２１】
昇降路１内の温度が上昇し、温度検出器８の検出温度が予め設定された基準値を超えたかどうかを判定し(ステップＳ２１)、基準値を超えた場合は、報知装置９に昇降路１の換気装置７が故障したことが判る温度異常のアナウンス又は警報音を発生(警報音鳴動)させる(ステップＳ２２)。そしてすぐには乗りかご２の運転を休止させず、その後、温度検出器８の検出温度が所定時間連続して基準値を超えていれば(ステップＳ２３)、避難階に乗りかご２を呼び戻してエレベータを運転休止させ(ステップＳ２４)、さらに報知装置９によるアナウンス又は警報音の発生(警報音鳴動)を中止させる(ステップＳ２５)。
【００２２】
そしてその後、温度検出器８の検出温度が基準値以下に戻り正常復帰すれば(ステップＳ２６)、エレベータを平常運転に復帰させる(ステップＳ２７)。
【００２３】
これにより、実施の形態１のようにエレベータを使い続けると過負荷状態になって、運行停止に至る恐れがあるが、実施の形態２では、のように所定時間の運行を可能にして、その後、避難階に乗りかご２を呼び戻してエレベータを運転休止させることで、運転停止に至る状態を回避できる。
【図面の簡単な説明】
【００２４】
【図１】この発明の一実施の形態によるエレベータ装置の構成図である。
【図２】この発明の実施の形態１における制御動作を示すフローチャートである。
【図３】この発明の実施の形態２における制御動作を示すフローチャートである。
【符号の説明】
【００２５】
１  昇降路、２  乗りかご、３  釣合おもり、４  ロープ、５  駆動装置、５ａ  綱車主面、６  制御装置、７  換気装置、８  温度検出器、９  報知装置、ＵＡ  上部領域。
【図１】
2007197114.tif 000003
【図２】
2007197114.tif 000004
【図３】
2007197114.tif 000005